(57)【要約】【課題】オペレータの掻いた汗が表面部を濡らしたままの状態になることにより、操作する手が滑ってしまうことを防止した操作ノブを提供する。【解決手段】操作用ノブ１は、表面が凹凸状に形成した本体部３に、吸水性を有する繊維を編組した表面部４を装着しているものであるため、外表面部４を把持するオペレータの手に汗を掻いた場合、該汗は、吸水性繊維で形成された表面部４に効率よく吸収されることになる。そして該吸収された汗は、本体部３の表面が凹凸形状になっていて通気性が有るため、効率よく蒸発することになって不快感のないものにできる。【選択図】図１
2007332636.tif 000002
【特許請求の範囲】
【請求項１】
油圧制御弁、ポンプ等を制御するためのコントロールレバーの先端部に備えられる本体部と、
該本体部の表面に装着される表面部とを有する操作ノブにおいて、
表面部は吸水性を有した素材で形成され、
本体部表面は凹凸形状になっていることを特徴とする建設機械用の操作ノブ。
【請求項２】
前記表面部は、速乾性を有した素材が設けられていることを特徴とする請求項１記載の建設機械用の操作ノブ。
【請求項３】
前記本体部は、表面に柱状または半球状の突起が間隙を存して複数形成されることで凹凸形状になっていることを特徴とする請求項１または２記載の建設機械用の操作ノブ。
【請求項４】
表面部は本体部に着脱自在に形成されていることを特徴とする請求項１乃至３の何れか一つに記載の建設機械用の操作ノブ。
【請求項５】
表面部は伸縮性を有する素材で形成されていることを特徴とする請求項１乃至４の何れか一つに記載の建設機械用の操作ノブ。
【請求項６】
表面部は編組されたものであることを特徴とする請求項１乃至５の何れか一つに記載の建設機械用の操作ノブ。
【発明の詳細な説明】
【技術分野】
【０００１】
本発明は、油圧制御弁、ポンプ等を操作するためのコントロールレバーに備えるための操作ノブであって、主に建設機械の上部旋回体やフロントアタッチメント用の操作ノブの技術分野に属するものである。
【背景技術】
【０００２】
一般に、建設機械の作業をするオペレータは、作業の特殊性もあって緊張感から手に汗を掻くことが多く、特に、夏等の高温化した作業現場では、キャブ内の室温も高くなりがちでより手に汗を掻き易い状態になる。このように手に汗を掻いた状態で操作ノブを握ると、操作ノブが汗で濡れることになるが、該濡れた状態の操作ノブは不快であるうえ、手が滑り易いという問題がある。また交代したオペレータが作業する場合に、前任のオペレータの汗で濡れた操作ノブを把持して作業する場合、不快感が大きいものがある。
そこで操作ノブのなかには、本体を、オレフィン系エラストマーやポリエステル系エラストマー等の高分子樹脂材で形成した表面部で被覆したものが知られているものがある（例えば、特許文献１、特許文献２参照。）。
【特許文献１】特開２００１−１６３０７７号公報
【特許文献２】特開２００４−２０３３５１号公報
【発明の開示】
【発明が解決しようとする課題】
【０００３】
しかしながら前記特許文献１、２の高分子樹脂材は吸水性に乏しく、このため掻いた汗が表面部を濡らしたままの状態になって依然として不快である上、滑りやすいといった問題が有る。そこで、操作ノブに吸水性のある布を巻きつけて使用することが提唱されるが、従来の操作ノブは表面が平滑状であったため、巻いた布が外れたりずれたりしやすく操作性に劣るといった問題がさらに有り、ここに本発明が解決しようとする課題がある。
【課題を解決するための手段】
【０００４】
本発明は、上記の如き実情に鑑みこれらの課題を解決することを目的として創作されたものであって、本発明の操作ノブは、請求項１に記載するように、油圧制御弁、ポンプ等を制御するためのコントロールレバーの先端部に備えられる本体部と、該本体部の表面に装着される表面部とを有する操作ノブにおいて、表面部は吸水性を有した素材で形成され、本体部表面は凹凸形状になっていることを特徴とする建設機械用の操作ノブである。
本発明の操作ノブは、請求項２に記載するように、前記表面部は、速乾性を有した素材が設けられていることを特徴とする請求項１記載の建設機械用の操作ノブである。
本発明の操作ノブは、請求項３に記載するように、前記本体部は、表面に柱状または半球状の突起が間隙を存して複数形成されることで凹凸形状になっていることを特徴とする請求項１または２記載の建設機械用の操作ノブである。
本発明の操作ノブは、請求項４に記載するように、表面部は本体部に着脱自在に形成されていることを特徴とする請求項１乃至３の何れか一つに記載の建設機械用の操作ノブである。
本発明の操作ノブは、請求項５に記載するように、表面部は伸縮性を有する素材で形成されていることを特徴とする請求項１乃至４の何れか一つに記載の建設機械用の操作ノブである。
本発明の操作ノブは、請求項６に記載するように、表面部は編組されたものであることを特徴とする請求項１乃至５の何れか一つに記載の建設機械用の操作ノブである。
【発明の効果】
【０００５】
請求項１の発明とすることにより、表面部を把持するオペレータの手に汗を掻いた場合、該汗は、吸水性繊維で形成された表面部に効率よく吸収されることになる。そして該吸収した汗は、表面が凹凸形状になっていて通気性があるため、効率よく蒸散するようになっている。
請求項２の発明とすることにより、吸収性を有する繊維で汗を吸収し、該吸収した汗は、速乾性繊維によって、乾燥（蒸発、蒸散）の促進が図られる。
請求項３の発明とすることにより、表面部を本体部の表面方向のどの方向にズラそうとする力に対しても強い摩擦力を生じさせることができる。
請求項４の発明とすることにより、表面部を取り換え自在なものとすることができる。この結果、大量の汗で表面部が濡れている場合や、複数のオペレータが交代で使用するような場合に、不快感を取り除くことができる。
請求項５の発明とすることにより、表面部の本体部への着脱を容易にすることができる。
請求項６の発明とすることにより、伸縮性、通気性のある表面部を容易に形成することができる。さらに、本体部の凹凸形状とのあいだで強い摩擦が生じるものとすることができる。
【発明を実施するための最良の形態】
【０００６】
次に、本発明の実施の形態について、図面に基づいて説明する。図面において、１は操作ノブであって、該操作ノブ１は、油圧ショベル等の建設機械の油圧制御弁やポンプ等を操作するためのコントロールレバー（ジョイスティックレバー）２の先端部（上端部）に備えられるものであり、コントロールレバー２に止着される本体部３と、該本体部３の表面に装着される表面部４とを有して構成されている。
【０００７】
本体部３は、下側ほど先細り状態になった略円柱状の基端部３ａと、該基端部３ａ上端に大径状に膨出する状態の上端部３ｂとによって形成されている。因みに、本実施の形態の上端部３ｂの上面には、ホーン（警音器）を発音させる等の操作をするための操作スイッチＳが設けられている。また、基端部３ａの下端には、コントロールレバー２のカバーをする保護部材Ｐの上端部が取り付けられている。
【０００８】
前記本体部３は、本実施の形態では図２に示すように円柱状の突起３ｃの複数が縦横方向（縦横傾斜方向）に間隙を存した水玉模様状に設けられていることで表面が凹凸形状に形成されている。因みに、本体部３の表面に形成される凹凸形状としては、図６（Ａ）に示す半球状の突起３ｄ、同（Ｂ）に示す四角柱等の柱体３ｅ、同（Ｃ）、（Ｄ）に示す三角錐や円錐等の錘体３ｆ、同（Ｅ）に示す截頭円錘体等の截頭錘体３ｇとして凹凸形状を形成してもよく、さらには凸条を縦縞模様、横縞模様、傾斜縞模様、交差縞模様にする等しても凹凸形状にすることができ、このように各種の凹凸形状を採用することで本発明を実施することができる。
【０００９】
一方、表面部４は、吸水性を有する素材からなる繊維、例えば木綿、キュプラ、麻、ビスコースレーヨン等のセルロース繊維や、吸水加工を施した合成繊維、さらにはこれら吸水性（吸湿性）繊維とポリエステル繊維やポリウレタン繊維等の合成繊維とを混紡した繊維を、天竺編み、鹿子編み、丸編み、メリヤス編み等の伸縮性を有する状態で編組した生地で構成することが好ましく、これら吸水性を有する生地の裏面に、速乾性繊維をハイブリッド化する等して二層化した生地を用いることがさらに好ましい。速乾性繊維としては、ポリアミド、ポリエステル、アクリル、ポリエチレン、ポリプロピレン等の合成繊維があり、これらの形態としては、マルチフィラメント、加工糸、紡績糸等が例示される。
【００１０】
以下、表面部４については、表面の吸水性繊維と裏面の速乾性繊維とによって二層化された繊維を用いたもので製造したものとして説明する。表面部４は、本体部３に対応した形状を有しているが、本体部３との密着性を向上するため相似状態で小型化した袋形状をしている。そして表面部４の本体部３への装着は、表面部４を伸張した無理嵌め状態ですることになり、これによって表面部４は、本体部３に対してずれたりすることが低減して密着性に優れた確りとした装着ができるようになっている。この場合に表面部４には、本体部３に設けたスイッチＳに相当する部位が切り欠かれた窓部４ａになっていて前記装着したときスイッチＳが露出するようになっている。因みに、表面部４のスイッチＳ相当部位を、窓部４ａにすることなく封止部にし、該封止部にスイッチＳの存在を表示するためのマーク図柄を貼り付たり印刷したりして表示するようにしても勿論よい。
【００１１】
さらに表面部４は、本体部３への着脱を容易にするため、本実施の形態ではスライダー５ａの移動によって開閉ができるファスナー５が設けられている。因みに、表面部４の着脱を容易にするための手段としては、スライダー付きのファスナー５に限定されず、面ファスナー、スナップあるいは釦による着脱方式としても良く、さらには例えば図６に示す他の実施の形態のように、本体部３に螺子孔等の係止孔６ａを設けておき、表面部４を本体部３に装着した状態で懸回したバンド６ｂを、ビス６ｃやピンを外側から強制挿入して止着するようにしても実施することができる。
【００１２】
叙述の如く構成された本発明の実施の形態において、操作用ノブ１は、表面が凹凸状に形成した本体部３に、吸水性を有する繊維を編組した表面部４を装着しているものであるため、該表面部４を把持するオペレータの手に汗を掻いた場合、該汗は、吸水性繊維で形成された表面部４に効率よく吸収されることになる。そして該吸収された汗は、本体部３の表面が凹凸形状になっていて通気性が有るため、効率よく蒸発することになって不快感のないものにできる。
【００１３】
しかもこのものでは、表面部４は、表面を吸水性繊維で形成して汗を効率よく吸収することができるが、該吸収された汗は、本体部３表面の通気性がある凹凸形状に接している裏面側の速乾性繊維によって乾燥（蒸発、蒸散）が促進されることになって、湿気のないサラサラ感のあるものになって不快感を一段と解消できることになる。
【図面の簡単な説明】
【００１４】
【図１】取り付け前の本体部及び表面部の状態を示す概略図である。
【図２】保護部材が取り付けられた状態の操作ノブの正面図である。
【図３】（Ａ）は図３（Ｃ）のＸ部の拡大図、（Ｂ）は本体部の平面図、（Ｃ）は本体部の側面図である。
【図４】（Ａ）は図４（Ｃ）のＹ部の拡大図、（Ｂ）は操作ノブの平面図、（Ｃ）は操作ノブの側面図である。
【図５】（Ａ）は表面部を本体部に装着した状態の操作ノブの一部を拡大した縦断面図、（Ｂ）は操作ノブの正面図である。
【図６】（Ａ）、（Ｂ）はそれぞれ本体部と表面部とをバンドで止着する前、後の操作ノブの側面図である。
【図７】（Ａ）、（Ｂ）、（Ｃ）、（Ｄ）はそれぞれ突起の他例を示す本体部の一部を拡大した側面図である。
【符号の説明】
【００１５】
１        操作ノブ
２        コントロールレバー
３        本体部
３ｃ      突起
４        表面部
５        ファスナー
【図１】
2007332636.tif 000003
【図２】
2007332636.tif 000004
【図３】
2007332636.tif 000005
【図４】
2007332636.tif 000006
【図５】
2007332636.tif 000007
【図６】
2007332636.tif 000008
【図７】
2007332636.tif 000009